(57)【要約】【課題】構造が簡単で、ユーザが把持すべき箇所や光ディスク装置に対する挿入方向を容易に認識できるようにしたディスクカートリッジを提供する。【解決手段】光ディスクＤを収容するディスクカートリッジにおいて、内部に光ディスクを収容するために上容器６と下容器８とに２分割されて開閉可能になされたディスク収容容器４と、収容されている光ディスクの表面を部分的に露出させるために上容器と下容器の内の少なくともいずれか一方に設けられた照射光用窓１３と、光ディスク収容容器の表面に形成されてこのディスク収容容器の把持すべき箇所を指定する保持マーク１４と、光ディスク装置に該ディスクカートリッジを挿入する挿入方向を指示するために、ディスク収容容器の中心に対して保持マークの略反対側に位置させて設けられた挿入方向指示マーク１６とを備える。【選択図】  図１
2004355709.tif 000002
【特許請求の範囲】
【請求項１】
光ディスクを収容するディスクカートリッジにおいて、
内部に前記光ディスクを収容するために上容器と下容器とに２分割されて開閉可能になされたディスク収容容器と、
収容されている前記光ディスクの表面を部分的に露出させるために前記上容器と下容器の内の少なくともいずれか一方に設けられた照射光用窓と、
前記光ディスク収容容器の表面に形成されてこのディスク収容容器の把持すべき箇所を指定する保持マークと、
光ディスク装置に該ディスクカートリッジを挿入する挿入方向を指示するために、前記ディスク収容容器の中心に対して前記保持マークの略反対側に位置させて設けられた挿入方向指示マークと、
を備えたことを特徴とするディスクカートリッジ。
【発明の詳細な説明】
【０００１】
【発明の属する技術分野】
本発明は、光ディスクを収容する構造簡単なディスクカートリッジに関する。
【０００２】
【従来の技術】
一般的に、光ディスクは、再生専用から書き換え可能なディスクへと種類が増加し、また、記録容量も大幅に増加し、コンピュータおよびオーディオ用途から、映像などの記録・再生用途とその使用範囲が増大している。
このような状況下で、記録・再生に使用するディスク表面の傷や汚れは、記録・再生機能に傷害を与えることがあることから、その対策が、従来より種々提案されている。上記対策として、ディスク自体を収容して傷や汚れからディスクを保護するディスクカートリッジが多数提案されている。その一例として、特許文献１には、ディスク収容部を有する下面によりディスクカートリッジを形成し、この下面に光ヘッド用ウィンドウを形成すると共に、上面全体を開口した技術が開示されている。
【０００３】
特許文献２には、光ディスクの片面を覆う第１のケース部材と、反対面を覆う第２のケース部材とを可動連結部で開閉可能に連結し、各ケースにスピンドル孔とヘッド挿入孔を形成した光ディスク用ケースが開示されている。
特許文献３には、光ディスクの両面を覆うジャケット部材と、このジャケット部材に形成したスピンドル孔と、このジャケット部材の両面に形成したヘッド挿入孔と、光ディスクを保持するラインと、光ディスクを挿脱する開口部とを形成した光ディスク用ジャケットが開示されている。
【０００４】
【特許文献１】
特開２００１−１８９０６８号公報
【特許文献２】
特開平８−２４９８５２号公報
【特許文献３】
特開平８−２４４８７１号公報
【０００５】
【発明が解決しようとする課題】
ところで、上記各特許文献１〜３に示すように、ディスク露出部分が存在するカートリッジにあってはその旨の表示が何ら存在しないのでユーザが誤ってディスク露出部分を触ってしまう恐れがあった。また、このディスクカートリッジを記録再生装置等の光ディスク装置に挿入する際、その挿入方向が容易には判別できないため、誤った方向に挿入するなどしてカートリッジ自体を破損するなどの恐れもあった。
また特に特許文献１の従来技術に記載の、特開平９−２１３０４３号公報及び特開平９−２８２８２８号公報のディスクカートリッジにあっては、このカートリッジ全体を構成する部品点数が多くてコスト高になるのみならず、ディスク自体の取り出しが困難になるという不都合があった。
本発明は、以上のような問題点に着目し、これを有効に解決すべく創案されたものである。本発明の目的は、構造が簡単で、ユーザが把持すべき箇所や光ディスク装置に対する挿入方向を容易に認識できるようにしたディスクカートリッジを提供することにある。
【０００６】
【課題を解決するための手段】
請求項１に係る発明は、光ディスクを収容するディスクカートリッジにおいて、内部に前記光ディスクを収容するために上容器と下容器とに２分割されて開閉可能になされたディスク収容容器と、収容されている前記光ディスクの表面を部分的に露出させるために前記上容器と下容器の内の少なくともいずれか一方に設けられた照射光用窓と、前記光ディスク収容容器の表面に形成されてこのディスク収容容器の把持すべき箇所を指定する保持マークと、光ディスク装置に該ディスクカートリッジを挿入する挿入方向を指示するために、前記ディスク収容容器の中心に対して前記保持マークの略反対側に位置させて設けられた挿入方向指示マークと、を備えたことを特徴とするディスクカートリッジである。
【０００７】
【発明の実施の形態】
以下に、本発明に係るディスクカートリッジの一実施例を添付図面に基づいて詳述する。
図１は本発明に係るディスクカートリッジの一例を示す斜視図、図２は図１に示すディスクカートリッジの開いた状態を外側から見た平面図、図３は図１に示すディスクカートリッジの開いた状態を内側から見た平面図、図４はディスクカートリッジの部分拡大断面図である。
ここで用いるディスクカートリッジは、通常の光ディスク、例えば再生専用の光ディスク、記録再生用の光ディスク、片面記録用の光ディスク、両面記録用の光ディスク、ＤＶＤ−ＲＡＭ、ＤＶＤ−Ｒ、ＤＶＤ−ＲＷなどの光ディスク等の全ての光ディスクに適用でき、特にディスクサイズも８ｃｍのもの及び１２ｃｍのものにも適用することができる。
【０００８】
図１乃至図３に示すように、このディスクカートリッジ２の全体を構成するディスク収容容器４の全体は、例えば塩化ビニル等の合成樹脂により形成されている。このディスク収容容器４は、内部に収容される前述した光ディスクのようなディスクＤの一面側を主として覆う上容器６と、他面側を主として覆う下容器８とにより２分割可能に形成されている。尚、ここで上容器６、下容器８は、単に便宜上に付した名称であり、上下を特段に意味するものではない。この上容器６及び下容器８は、共にディスクＤの直径よりも僅かに大きい略円形になされている。上記上容器６と下容器８とはその一部において、屈曲可能になされた樹脂製の蝶番１０により互いに片側で連結されており、従ってこの蝶番１０を支点として上記上容器６と下容器８とは開閉可能になされ、内部にディスクＤを収容できるようになっている。そして、上記上容器６と下容器８の内のいずれか一方、図３に示す場合には下容器８の周辺部には、他方の上容器６の周辺部と密接して嵌合する係合段部１１（図４参照）が形成されており、両容器６、８を密接状態で閉じて固定できるようになっている。また、この上容器６と下容器８の内のいずれか一方、図示例では上容器６には記録時、或いは再生時に光ピックアップが侵入して記録用、或いは再生用のレーザ光を照射する照射光用窓１３が形成されている。この照射光用窓１３は、幅Ｌ１が例えば２０〜３０ｍｍ程度であり、ディスクＤの半径方向全体を含め、ディスクＤのスピンドル孔１２も露出させるようにして開口されている。
【０００９】
そして、この上容器６の表面の周縁部の一部には、このディスク収容容器４を持ち上げる時に把持すべき箇所を指定する保持マーク１４が形成されている。この保持マーク１４は、例えば指紋の模様のようなものよりなり、ユーザに対してこの部分（箇所）を把持するように視覚的に訴えることができるようになっている。この保持マーク１４の模様は、上記指紋のような模様に限定されず、ユーザに対して、この部分を把持すべきものとして認識させることができるような模様ならば、どのような模様でもよい。
【００１０】
またディスク収容容器４の中心部に対して上記保持マーク１４の略反対側に位置させてこのディスクカートリッジ２の挿入する挿入方向を指示するための挿入方向指示マーク１６が設けられている。具体的には、この挿入方向指示マーク１６は、上記照射光用窓１３の両側にその挿入方向を指示するように形成した２本の矢印よりなる。このように、挿入方向指示マーク１６と保持マーク１４とは、ディスク収容容器４の中心に対して略点対称となるように配置されている。
【００１１】
このようにディスクカートリッジ２を形成するようにしたので、ユーザがディスク再生装置やディスク記録・再生装置などの光ディスク装置にこのディスクカートリッジ２を挿入する場合には、ユーザは上記保持マーク１４の部分を指で挟み込んでこのディスクカートリッジ２を保持し、そして、挿入方向指示マーク１６で表される挿入方向に従って、このディスクカートリッジ２を挿入すればよい。
従って、上記保持マーク１４によって保持すべき箇所がユーザにとって容易に認識することができるので、ユーザが露出しているディスクＤの部分を誤って持つことがなく、ディスクＤに記録・再生の妨げとなる指紋や埃が付着することを防止することができる。従って、ディスクカートリッジ本体に細かな文字で注意書きを記す必要も無くすことができる。また、このディスクカートリッジ２の全体の構成も非常に簡単なので、容易に、且つ安価に提供することができる。
また、上記保持マーク１４及び挿入方向指示マーク１６は、市販時には接着可能なシールとして予め別体として設け、ユーザが自分の光ディスク装置に対応させるように貼り付けるようにしてもよい。
【００１２】
更には、上容器６と下容器８との嵌合具合が緩い場合に備えて、ディスク収容容器４の中心に対して上記蝶番１０とは略反対側の位置に、弾性的に係合離脱する係合フック等を設けるようにしてもよい。
上記実施例にあっては、上容器６のみに照射光用窓１３を設けた場合を例にとって説明したが、光ディスク装置の種類によっては、ディスクＤの両面側からレーザ光を照射するようにした光ディスク装置もあり、そのような光ディスク装置に適用させる場合には、図５に示す第１変形例のように、下容器８にも、上記照射光用窓１３と同様な構造及び寸法の別の照射光用窓１３を形成する。この場合、ディスク収容容器４を閉じた時には、上記照射光用窓１３は、このディスクカートリッジ２の厚さ方向で互いに対向するように配置される。
【００１３】
また図２にて説明した実施例では、保持マーク１４と挿入方向指示マーク１６とを上容器６のみに設けた場合を例にとって説明したが、これに限定されず、図６に示す第２変形例のように、下容器８にも上記保持マーク１４、或いは挿入方向指示マーク１６、またはこれらの双方を設けるようにしてもよい。図６では保持マーク１４と挿入方向指示マーク１６の双方を下容器８にも設けた場合を示している。これによれば、特に、保持マーク１４は上容器６と下容器８の両方に形成されるので、ユーザにとってこのディスクカートリッジ２の保持すべき箇所を適確に、且つ容易に認識することができる。
また以上説明した実施例では、上容器６と下容器８とは一部で蝶番１０を介して開閉可能に分割して形成されていたが、これに限定されず、例えば図７に示す第３変形例のように、蝶番１０を設けずに、上容器６と下容器８とを完全に分割分離して、これらを互いに嵌め込むようにして着脱可能となるように構成してもよい。
【００１４】
また両面記録再生ディスクの場合には、図８に示す第４変形例のように、ディスクＤの面を特定するために、上容器６と下容器８の内のいずれか一方、例えば上容器６の表面に”ＳＩＤＥ１記録面”と表示し、他方の下容器８の表面に”ＳＩＤＥ２記録面”（図示せず）と表示するようにしてもよい。この場合、レーザ光や対物レンズのイラスト２０（図示例ではレーザ光を表している）を表示して光記録であることをユーザに認識させる。そして、ＳＩＤＥ１記録のときには、上記”ＳＩＤＥ１記録面”を光ピックアップ側に向けるようにして光ディスク装置に挿入し、ＳＩＤＥ２記録のときには、上記とは反対側にして挿入するように定める。上記記録面に関する点は、光ディスク業界での規約事項となっているが、上述のように具体的に表示を行なうことにより、ユーザにとってＳＩＤＥ１とＳＩＤＥ２の各記録面を直感的に容易に認識することができる。
【００１５】
また片面記録再生ディスクの場合には、”ＳＩＤＥ１記録”と表示して上記と同様の方法をとるようにする。尚、この”ＳＩＤＥ１記録面”の表示やイラスト２０は、前述したようにシールにして、ユーザが後から貼り付けることができるようにしてもよい。
また前述したように、保持マーク１４や挿入方向指示マーク１６をシールにして貼り付け可能状態にしておけば、光ディスク装置には、横方向挿入型の装置（図１に示す場合）や縦方向挿入型の装置があるので、図９に示す第５変形例のように照射光用窓１３に対して略９０度異なる方向に保持マーク１４や挿入方向指示マーク１６を貼り付けることにより、両挿入型の装置に容易に対応することができる。
【００１６】
また、以上の各実施例ではディスク収容容器４の形状は、円形の場合を例にとって説明したが、これに限定されない。例えば図１０は他の形状の実施例を示しており、図１０（Ａ）に示す第６変形例は、一側が半円形状に成形され、他側が矩形状に成形された全体形状となっており、矩形形状側に照射光用窓１３を形成している。図１０（Ｂ）に示す第７変形例は、図１０（Ａ）に示す形状と同様な形状を有しており、この場合には半円形状側に照射光用窓１３を形成している。図１０（Ｃ）に示す第８変形例は中央部の上下端が部分的に平坦になされて両側が略半円形状に成形されており、その半円形状の一方に照射光用窓１３を形成している。
尚、この図１０において説明した形状のディスクカートリッジにおいても、図１に示す実施例に対して説明した各種の変形態様は全て適用し得るのは勿論である。
【００１７】
【発明の効果】
以上説明したように、本発明のディスクカートリッジによれば、構造が簡単で、ユーザが把持すべき箇所や光ディスク装置に対する挿入方向を容易に認識できるようにしたディスクカートリッジを提供することができる。
【図面の簡単な説明】
【図１】本発明に係るディスクカートリッジの一例を示す斜視図である。
【図２】図１に示すディスクカートリッジの開いた状態を外側から見た平面図である。
【図３】図１に示すディスクカートリッジの開いた状態を内側から見た平面図である。
【図４】ディスクカートリッジの部分拡大断面図である。
【図５】本発明のディスクカートリッジの第１変形例を示す図である。
【図６】本発明のディスクカートリッジの第２変形例を示す図である。
【図７】本発明のディスクカートリッジの第３変形例を示す図である。
【図８】本発明のディスクカートリッジの第４変形例を示す図である。
【図９】本発明のディスクカートリッジの第５変形例を示す図である。
【図１０】本発明のディスクカートリッジの第６変形例から第８変形例を示す図である。
【符号の説明】
２…ディスクカートリッジ、４…ディスク収容容器、６…上容器、８…下容器、１０…蝶番、１３…照射光用窓、１４…保持マーク、１６…挿入方向指示マーク、Ｄ…ディスク。
【図１】
2004355709.tif 000003
【図２】
2004355709.tif 000004
【図３】
2004355709.tif 000005
【図４】
2004355709.tif 000006
【図５】
2004355709.tif 000007
【図６】
2004355709.tif 000008
【図７】
2004355709.tif 000009
【図８】
2004355709.tif 000010
【図９】
2004355709.tif 000011
【図１０】
2004355709.tif 000012